(57)【特許請求の範囲】
【請求項１】
少なくとも１つのプラスチック層と、互いに対向するパネル端部同士で対をなして設けられた相補的な係止手段（Ｖ）で、フック形状部（Ｈ）として収容フック（５）および前記収容フック（５）に対して対向側にある鉤引フック（６）を有する少なくとも一対の係止手段と、を有する本体（１’、２’）を備えるパネル（１、２、２７、２８）であって、前記収容フック（５）が、前記本体から遠位側にあるフック縁部（８）と、前記本体に対して近位に配置された収容凹部（９）とを有し、前記収容凹部（９）が表面（７）側に向かって開き、前記鉤引フック（６）が、前記本体に対して近位に配置されかつ裏面側に開いた鉤引凹部（１１）を設けられ、前記本体に対して遠位に配置されかつ垂直接合方向において前記収容フック（５）の前記収容凹部（９）に嵌入する鉤引段部（１２）を有し、前記鉤引フック（６）は、その前記本体から遠位側に接合面（１３）とさらには垂直方向に作用する鉤引外郭部（１４）とを有し、前記収容フック（５）は、その前記本体に対して近位側に接合面（１５）とさらにはポジティブロック外郭部（１６）とを有し、前記ポジティブロック外郭部（１６）が、垂直方向係止を行えるように、前記鉤引フック（６）の前記本体から遠位側にある前記鉤引外郭部（１４）とポジティブロック関係で嵌合し、前記鉤引フック（６）が、その鉤引段部（１２）の前記本体に対して近位側に配置された水平方向係止面（１７）を有し、前記収容フック（５）が、その前記収容凹部（９）の前記本体から遠位側に配置された水平方向係止面（１８）を有し、前記収容フック（５）には、狭くなる収容開口部（１９）が形成され、前記狭くなる収容開口部（１９）を通して、前記鉤引段部（１２）が前記垂直接合方向（Ｔ）にて前記収容凹部（９）に挿入可能であり、前記鉤引段部（１２）の段部自由端が前記収容フック（５）の前記収容開口部（１９）の幅よりも狭いパネル（１、２、２７、２８）において、
前記鉤引フック（６）の前記本体から遠位側にある前記鉤引外郭部（１４）が前記鉤引フック（６）の前記接合面（１３）の平面より後方に引っ込められ、前記収容フック（５）の前記本体に対して近位側ある前記ポジティブロック外郭部（１６）が前記収容フック（５）の接合面（１５）の平面を越えて少なくとも部分的に突出し、前記鉤引フック（６）の前記水平方向係止面（１７）がその面の一部によって前記収容フック（５）の前記水平方向係止面（１８）と接触する程度に、前記段部端が接合運動中に前記フック形状部（Ｈ）の弾性変形なしに前記収容開口部（１９）内に最初に嵌入するように、前記鉤引段部（１２）および前記収容開口部（１９）が構成され、前記収容フック（５）が、前記鉤引段部（１２）を前記収容凹部（９）に完全に挿入することができ、さらには、前記鉤引フック（６）の前記鉤引外郭部（１４）が前記収容フック（５）の前記ポジティブロック外郭部（１６）に挿入されるように前記収容開口部（１９）の幅をその弾性屈曲性によって拡大することができるように適合された可撓脚部（２０）を有し、
弾性掛止サネ部（２１）が、前記収容フック（５）の前記フック縁部（８）の前記本体から遠位側に設けられ、前記鉤引凹部（１１）が、その前記本体に対して近位側に、前記弾性掛止サネ部（２１）と嵌合する掛止凹部（２２）を有することを特徴とするパネル（１、２、２７、２８）。
【請求項２】
前記弾性掛止サネ部（２１）が前記本体（１’）と一体に形成されていることを特徴とする請求項１に記載のパネル。
【請求項３】
前記弾性掛止サネ部（２１）が前記フック縁部（８）の前記本体から遠位側に設けられ、前記弾性掛止サネ部（２１）の自由端が前記フック縁部（８）から傾斜して突出していることを特徴とする請求項１または請求項２に記載のパネル。
【請求項４】
前記弾性掛止サネ部（２１）が、その前記本体から遠位側に摺動面（２３）を有することを特徴とする請求項１〜３のいずれか１項に記載のパネル。
【請求項５】
前記弾性掛止サネ部（２１）と前記フック縁部（８）との間に、前記弾性掛止サネ部（２１）が弾性的にバネのように反ることができる自由空間（２４）が設けられていることを特徴とする請求項１〜４のいずれか１項に記載のパネル。
【請求項６】
前記掛止凹部（２２）が掛止接触面（２５）を有することを特徴とする請求項１〜４のいずれか１項に記載のパネル。
【請求項７】
請求項３に記載のパネルであって、前記掛止接触面（２５）が、前記弾性掛止サネ部（２１）の前記自由端のための傾斜当接面（２６）を形成するような構成であることを特徴とする請求項６に記載のパネル。
【請求項８】
前記鉤引段部（１２）が、その前記本体から遠位側に傾斜摺動面（１２ａ）を有することを特徴とする請求項１〜７のいずれか１項に記載のパネル。
【請求項９】
前記フック形状部（Ｈ）を有する第１の端部対と、相補的な一対の旋回形状部（Ｓ）が設けられた第２の端部対とを有し、前記一対の旋回形状部（Ｓ）として、溝壁（２９ｂ）のアンダーカット形状を有する溝形状部（２９）、およびばね側面（３０ｂ）のアンダーカット形状（３０ｃ）を有するサネ形状部（３０）が設けられていることを特徴とする請求項１〜８のいずれか１項に記載のパネル。
【請求項１０】
表面（７）に設けられた透明カバー層を備え、前記カバー層を通して見ることができる装飾層が設けられていることを特徴とする請求項１〜９のいずれか１項に記載のパネル。
【請求項１１】
前記パネルの裏面側には裏打ち層が設けられていることを特徴とする請求項１〜１０のいずれか１項に記載のパネル。
【発明の詳細な説明】
【技術分野】
【０００１】
本発明は、少なくとも１つのプラスチック層と、複数のパネルを共に係止することができるように互いに対向するパネル端部同士で対をなして設けられた相補的な係止手段と、フック形状部、すなわち、収容フックおよびこの収容フックに対して対向側にある鉤引フックを有する少なくとも一対の係止手段とを有する本体を備えるパネル、特にフロアパネルであって、収容フックが、本体から遠位にあるフック縁部と、本体に対して近位に配置された収容凹部とを有し、収容凹部が表面側に向かって開き、鉤引フックが、本体に対して近位側に配置されかつ裏面側に開いた鉤引凹部を設けられ、本体から遠位に配置されかつ垂直接合方向において収容フックの収容凹部に嵌入する鉤引段部を有し、鉤引フックが、本体から遠位側に、接合面とさらには垂直方向に作用する鉤引外郭部とを有し、収容フックが、本体に対して近位側に、接合面とさらにはポジティブロック外郭部とを有し、このポジティブロック外郭部が、垂直方向の係止を行えるように、鉤引フックの本体から遠位側にある鉤引外郭部とポジティブロック関係で嵌合し、鉤引フックが、その本体に対して近位側に配置された水平方向係止面を前記鉤引フックの鉤引段部に有し、収容フックが、本体から遠位側に配置された水平方向係止面を収容凹部に有し、収容フックには、狭くなる収容開口部が形成され、この狭くなる収容開口部を通して、鉤引段部が実質的に垂直接合方向において収容凹部に挿入されることができるパネルに関する。
【背景技術】
【０００２】
フロア用の記載されている一般的な種類のパネルは特許文献１から知られている。公知のパネルのフック形状部は、パネルの本体が形成される材料に適合される。曲げ軟性および曲げ弾性のプラスチック材料を含む本体を有するそれらのパネルを引っ掛けることができる。鉤引フックの接合面の真下に設けられた鉤引外郭部は、接合面の平面に対して突出する領域と、接合面の平面に対して引っ込められる他の領域とを有する。同様に、収容フックの接合面の真下に設けられたポジティブロック外郭部は、接合面の平面に対して突出する領域と、接合面の平面に対して引っ込められる他の領域とを有する。突出しかつポジティブロック外郭部および鉤引外郭部で引っ込められる上述の領域は、２つのフック形状部がパネルの平面に対して直交する方向に（垂直に）互いに離れるような運動を妨げるアンダーカット形状を形成する。アンダーカット形状を共に嵌合できるようにするために、鉤引外郭部およびポジティブロック外郭部がお互いを越えて移動するように圧接される。その場合、鉤引外郭部およびポジティブロック外郭部を弾性的に変形させなければならない。鉤引外郭部およびポジティブロック外郭部は軟質弾性であり、そのようにして、互いにポジティブロック接触させることができる。アンダーカット形状の最大の大きさはプラスチック材料の軟質弾性特性によって制限される。垂直方向係止作用は不十分である。
【先行技術文献】
【特許文献】
【０００３】
【特許文献１】国際公開第２０１０／０１５５１６号パンフレット
【発明の概要】
【発明が解決しようとする課題】
【０００４】
本発明の目的は、本体のために使用することができる多数のプラスチック材料が増大されかつ垂直方向係止作用ができるだけ向上されるようにパネルを改良することである。
【課題を解決するための手段】
【０００５】
本発明によれば、その目的は、鉤引フックの本体から遠位側にある鉤引外郭部が鉤引フックの接合面の平面より後方に引っ込められ、収容フックの本体に対して近位側にあるポジティブロック外郭部が収容フックの接合面の平面を越えて少なくとも部分的に突出し、鉤引フックの水平方向係止面がその面の一部によって収容フックの水平方向係止面と接触する程度に、段部端が接合運動中にフック形状部の弾性変形なしに収容開口部に最初に嵌入するように、鉤引段部および収容開口部が構成され、収容フックが、収容開口部の幅をその弾性屈曲性によって拡大することができるように適合された可撓脚部を有し、その結果、鉤引段部を収容凹部に完全に挿入することができ、さらには、鉤引フックの鉤引外郭部が収容フックのポジティブロック外郭部に挿入されることによって達成される。
【０００６】
それらの措置は、接合運動の開始時に、フック形状部が、係合位置で既に弾性的に変形されることなく係合されることを可能にする。ここで、接合運動のさらなる進行により、弾性変形が生じるように鉤引外郭部およびポジティブロック外郭部のアンダーカット領域同士が係合位置で接触され、可撓脚部は、具体的には、弾性変形目的のために設けられる。明らかに、鉤引外郭部およびポジティブロック外郭部も押圧されて変形されるが、本体のプラスチック材料がより硬くより脆くなると、それに応じて鉤引外郭部およびポジティブロック外郭部の弾性変形の程度が小さくなり、それに応じて可撓脚部の弾性変形の割合が大きくなる。ここで、本体が比較的硬質かつ脆性のプラスチック材料から形成される場合でも、当該設計構成によって、鉤引外郭部とポジティブロック外郭部との間のポジティブロック係合のための高度なアンダーカット形状を提供することが可能である。例えば、ポジティブロック外郭部は、従来技術のものよりもさらに突出する掛止要素を有することができ、鉤引外郭部は、掛止要素に相補的でありかつ従来技術のものよりも深い掛止凹部を有する。それにもかかわらず、鉤引外郭部とポジティブロック外郭部とを何ら問題なく係合させることができるが、その理由は、当該目的のために適合された可撓脚部が弾性的に撓んで屈曲し、その屈曲が収容開口部の拡大を許容するためである。そのようにして、鉤引外郭部およびポジティブロック外郭部が係合するまで、激しい固有変形なしに鉤引外郭部とポジティブロック外郭部とをお互いを越えて移動させることができる。
【０００７】
本体またはコアのプラスチック層は、熱可塑性ポリマー、例えばポリオレフィン、ポリプロピレン、ポリウレタンまたはポリアミド等の軟質弾性プラスチック材料から形成することができる。いわゆる軟質ＰＶＣも軟質プラスチック材料とみなすことができる。この軟質ＰＶＣは、可塑剤を含有するポリ塩化ビニルを含む。しかし、基本的に、ＰＶＣは、可塑剤によってのみ低減することができる本来の硬度および脆性を有するアモルファスエラストマーである。
【０００８】
しかし、有利なことに、パネルは、本来の硬度および脆性を有するプラスチック材料、例えば、可塑剤を全く含まないかまたは少量の可塑剤を含有するＰＶＣのようなアモルファスエラストマーからコアのプラスチック層を形成することも可能であるような構成である。
【０００９】
本発明のそれぞれの実施形態に応じて、本発明によるパネルの厚さは３〜１０ｍｍ、好ましくは４〜８ｍｍ、特に好ましくは５〜６ｍｍである。パネルの表面積に対する重量は、それぞれの厚さおよび特定の構造に応じて、１〜２．５ｋｇ／ｍ２、好ましくは１．６〜１．８ｋｇ／ｍ２である。
【００１０】
弾性掛止サネ部を本体から離れるように収容フックのフック縁部に設けることができ、この場合、鉤引凹部は、本体に対して近位側に、弾性掛止サネ部と嵌合する掛止凹部を有する。これは、当該目的のために設けられて適合される領域、すなわち弾性掛止サネ部の弾性変形によって互いに接合されるフック接合部内に、第２の位置を提供する。弾性掛止サネ部は、鉤引凹部と共に、垂直方向への、すなわち、係止されるパネルの平面に対して直交する方向への２つのフック形状部の係合も実施する。
【００１１】
弾性掛止サネ部が本体と一体に形成されている場合、本体の弾性特性を利用することができる。本体が比較的硬質のプラスチック材料から形成される場合、それは、特に、フライス加工等の切削製作工程による弾性掛止サネ部の形成を促進する。
【００１２】
弾性掛止サネ部は、フック縁部の本体から遠位側に根差すように設けられ、弾性掛止サネ部の自由端はフック縁部から傾斜して、例えば下方に傾斜して突出する。弾性掛止サネ部は、相補的なフック形状部との接触が一体の掛止サネ形状部の内側へのばね運動をもたらし、このばね運動により、一体の掛止サネ形状部がそのパネルの本体により近接するように移動されるべく常に配置される。
【００１３】
望ましくは、弾性掛止サネ部は、本体から遠位側に摺動面を有する。その面は垂直接合運動中に鉤引フックと接触する。その運動により、弾性掛止サネ部が収容フックのフック縁部により近接するように移動させられる。そのようにして、弾性掛止サネ部は弾性的に応力を受け、接合運動を可能にする。その後、鉤引フックを、両方のパネルが同一平面になるまで収容フック内にさらに導入することができる。
【００１４】
掛止サネ形状部が弾性的にバネのように反ることができる自由空間を弾性掛止サネ部とフック縁部との間に設けることができる。弾性プレストレスは、弾性掛止サネ部のための空間があれば、弾性掛止サネ部がその中立位置の方向に跳ね返ることを可能にする。
【００１５】
望ましくは、掛止凹部は掛止接触面を有する。弾性掛止サネ部との接触によって、垂直方向への接続されたパネル同士の拘束をもたらす。
【００１６】
好ましくは、掛止接触面は、弾性掛止サネ部の自由端のための傾斜当接面を形成するような構成である。傾斜当接面は、応力を受けた掛止サネ形状部がその中間位置の方向に跳ね返るときに当該傾斜当接面に当接されるような構成である。さらに、傾斜当接面は、応力の残存部分が掛止サネ形状部で常に維持されるように掛止サネ形状部がその中間位置に達する前に当接面に当接するよう配置することができ、これは確実な拘束作用を提供する役割を果たす。
【００１７】
鉤引段部が、本体から離れたその側面に、傾斜摺動面と呼ばれる摺動傾斜部を有するとさらに有利であると考えられる。傾斜摺動面は、突出するポジティブロック外郭部の当該領域と協働するような構成であることが望ましい。接合平面から突出するポジティブロック外郭部の当該領域は、例えば、突出する掛止要素を形成する。突出する領域は鉤引段部の傾斜摺動面と協働する。傾斜摺動面が、突出する領域、例えば掛止要素と接触すると、傾斜摺動面は掛止要素に沿って摺動する。そのようにして、まず、収容フックと鉤引フックの接合面同士が互いに離反する方向に移動される。それと同時に、鉤引フックの水平方向係止面が、収容フックの水平方向係止面に押圧力を加える。収容フックの水平方向係止面に加えられるその力は、収容フックの可撓脚部に伝達され、これによって可撓脚部が弾性的に屈曲される。さらなる接合運動において、鉤引外郭部およびポジティブロック外郭部がポジティブロック関係で互いに嵌合する位置に双方ともが達する程度まで、鉤引外郭部がポジティブロック外郭部を通過する。その場合、収容フックの水平方向係止面を介して、可撓脚部の曲げ応力が、収容フックの接合面の方向において鉤引フックの接合面に再びプレストレスを与える力を加える。そのようにして、閉鎖接合を達成することが可能である。その後、２つのフック形状部の水平方向係止面は、好ましくは互いに当接した状態にある。
【００１８】
傾斜摺動面の幾何学的形状（直線状または湾曲した）によって、可撓脚部の屈曲度に影響を与えることができる。傾斜摺動面を変化させることにより、プラスチック材料が可撓脚部の領域で過負荷状態にならず、損傷を被ることがないように、発生した曲げ応力を適合させることができる。
【００１９】
相補的な係止手段の一対は旋回形状部の形態にある。より具体的には、溝壁のアンダーカット形状を有する溝形状部と、サネ側のアンダーカット形状を有するサネ形状部とが設けられている。
【００２０】
これは、望ましくは、旋回形状部を有する新しいパネルが既に敷設平面に配置されたパネルの相補的な旋回形状部分に嵌合されかつ下向きに旋回されるように、パネルを敷設することができるという利点を有する。
【００２１】
それに関連して、有利には、新しいパネルのフック形状部を同じパネル列のパネルのフック形状部に同時に係止することができる。そのために、新しいパネルの鉤引フックは、ハサミのような運動で垂直面内にて実質的に下方に移動され、収容フック内に挿入される。ハサミのような運動の間、鉤引段部はまずパネル端部の一端でのみ収容開口部内に突出する。ハサミのような接合運動が続くとき、鉤引段部は収容開口部内に徐々に移動する。これによって開始される可撓脚部の弾性変形も徐々に増大する。最終的にパネル同士が同一平面内に配置されるとき、鉤引外郭部およびポジティブロック外郭部が互いに正確に嵌合され、接合面が互いに接触して閉鎖接合を形成する。さらに、可撓脚部の曲げ応力が再び排除され、２つのフック形状部の水平方向係止面が表面接触で互いにぴったりと当接する。
【００２２】
装飾層がパネルの表面側に設けられる場合は利用領域を増大させることができる。さらなる利点は、装飾層を見ることができる透明カバー層を設けることによって提供される。透明カバー層は装飾層を保護するのに役立つ。透明カバー層には、例えばコランダム粒子、ガラス粒子等の摩耗を低減する手段を設けることができる。それに関連して、裏打ち層がパネルの裏面側に設けられると望ましいかもしれない。その裏打ち層は、パネルの歪みを緩和するために、表面側に設けられた層のためのバランスとして作用する。
【００２３】
本発明を以下の図面の簡単な説明に一例として示し、複数の図に基づいて詳細に説明する。
【図面の簡単な説明】
【００２４】
【図１ａ−１ｄ】本発明によるパネルの相補的な係止手段の第１の端部対、および２つのパネルを係止するための段階的な接合運動を示している。
【図２ａ−２ｄ】パネルの相補的な係止段の第１の端部対の代替実施形態、および２つのパネルを係止するための段階的な接合運動を示している。
【図３】旋回形状部の形態の相補的な係止手段を有する第２の端部対を有する本発明によるパネルを備えるフロアカバーを示している。
【図４】旋回形状部を備える一対の端部に関する実施形態を示している。
【発明を実施するための形態】
【００２５】
図１ａ〜図１ｄの各々は、２つのパネル１および２の一部をそれぞれ示している。パネル１および２は同一形状である。個々のパネルは、一対の端部の互いに対向するパネル端部に、相補的外形部３および４をそれぞれ有する。したがって、パネル１の場合、図示されていない端部はパネル２と同一の外形部４を有し、一方、パネル２の場合、図示されていない端部はパネル１と同一の外形部３を有する。
【００２６】
４辺の端部を有するパネルの場合、第２の端部対には、第１の端部対の相補的外形部と同一形状である相補的外形部を形成することができる。
【００２７】
一連の図１ａ〜図１ｄは、パネル１および２を接続して係止するための接合運動の原理を実施する複数のステップを示している。
【００２８】
各パネル１および２の相補的外形部３および４のそれぞれは、フック形状部Ｈの形態で相補的な係止手段Ｖを形成する。相補的外形部１のフック形状部は収容フック５を形成し、相補的外形部２のフック形状部は、収容フック５に嵌合する鉤引フック６を形成し、この場合、２つのフック形状部は、鉤引作用が生成されるような構成である。鉤引作用は接合運動の反転を妨げる。したがって、係止が達成された後に、パネル１および２を後方運動で互いに解除することはできない。
【００２９】
各パネル１および２のそれぞれは、上述の相補的な係止手段Ｖが配置されるプラスチック層を有する本体１’および２’をそれぞれ含む。パネルの表面７は作用面を形成する。収容フック５には、本体から遠位のフック縁部８と本体の近位にある収容凹部９とが設けられている。収容凹部９は表面７側に開かれている。
【００３０】
鉤引フック６は、本体により近接して配置されかつ裏面１０側に開く鉤引凹部１１が設けられ、また本体から遠位に鉤引段部１２を備えている。鉤引段部１２は垂直接合方向Ｔにおいて収容フック５の収容凹部９内に嵌入する。さらに、鉤引フック６は、本体から遠位側に、接合面１３と垂直方向係止作用を有する鉤引外郭部１４とを備えている。収容フック５は、本体近位側に、接合面及びポジティブロック外郭部１６とを備え、このポジティブロック外郭部１６はポジティブロック関係で鉤引フック６の鉤引外郭部１４と互いに嵌合する。そのようにして、垂直方向係止を実施することが可能である。
【００３１】
さらに、鉤引フック６は、その鉤引段部１２の本体近位側にに設けられた水平方向係止面１７を有する。鉤引段部１２との適合関係において、収容フック５は、収容凹部９内の本体から遠位側に、鉤引フック６の水平方向係止面１７と協働する水平方向係止面１８を有する。
【００３２】
収容フック５の収容凹部９には、狭くなる収容開口部１９が設けられている。鉤引段部１２は、実質的に垂直接合方向Ｔにおいて、すなわち、係止されるパネル同士の平面に対する垂直面内において、収容凹部９内に導入することができる。
【００３３】
図１ａ〜図１ｄを参照すると、パネル１は、固定基板（図示せず）上に収容フック５が配置されている。パネル２の鉤引段部１２はパネルの平面に対して直交方向に（垂直に）下降される。鉤引フック６の本体から遠位の鉤引外郭部１４は、鉤引フック６の接合面１３の平面の後方に引っ込められた掛止凹部１４ａを有する。収容フック５の本体近位側にあるポジティブロック外郭部１６は、収容フック５の接合面１５の平面を越えて突出しかつ係止状態で鉤引フック６の掛止凹部１４ａ内に／後方に係合する掛止要素１６ａを有するような構成である。さらに、鉤引段部１２および収容開口部１９は、鉤引段部１２の自由端が、接合運動の開始時にフック形状部の特筆すべき弾性変形なしに収容開口部１９内に最初に嵌入するような構成である。その場合、鉤引フック６の水平方向係止面１７は、収容フック５の水平方向係止面１８とその表面の一部によって接触する。
【００３４】
収容フック５には、図１ｂおよび図１ｃから最良にわかるように、特定の可撓脚部２０が設けられている。可撓脚部２０は、鉤引段部１２を問題なく収容凹部９内に挿入することができるように、脚部の弾性屈曲性によって収容開口部１９の幅を拡大することができるような構成である。さらに、可撓脚部２０の屈曲性により、鉤引フック６の鉤引外郭部１４を収容フック５のポジティブロック外郭部１６へ非常に容易に導入することができる。
【００３５】
接合運動の開始時、フック形状部は、係合位置で既に弾性変形されることなく係合されるべきである。ここで、接合運動のさらなる進行により、鉤引外郭部１４およびポジティブロック外郭部１６のアンダーカット領域が係合位置で接触されることになる。しかし、その接触は、実質的に他の位置で、より具体的には当該目的のために設けられた可撓脚部２０で生じる弾性変形の原因となる。明らかに、鉤引外郭部１４およびポジティブロック外郭部１６も押圧されて変形されるが、本体のプラスチック材料がより硬く且つより脆性であると、それに応じて鉤引外郭部１４およびポジティブロック外郭部１６の弾性変形が小さくなり、それに応じて可撓脚部２０の弾性変形の程度が大きくなる。
【００３６】
鉤引フック６の掛止凹部１４ａは従来技術のものよりも深くなる。同様に、収容フック５の掛止要素１６ａは収容フック５の接合面１５から、従来技術のものよりも遠くに突出する。結果として、垂直接合方向において、従来技術のものよりも大きい程度のアンダーカット形状が得られる。それにもかかわらず、鉤引外郭部１４とポジティブロック外郭部１６とを何ら問題なく係合させることができる。このことは、可撓脚部２０が弾性的に屈曲可能であり、その結果、このような屈曲が収容開口部１９の拡大を許容することによるものである。このようにして、鉤引外郭部１４とポジティブロック外郭部１６とは、それらがポジティブロック係合して垂直方向係止作用を展開するまで、激しい固有変形なしにお互いを越えて移動することができる。
【００３７】
図１ｂは、傾斜面、すなわち、傾斜摺動面１２ａを形成する当該面が、鉤引段部１２の本体から遠位側に設けられていることを示している。傾斜摺動面は収容フックのポジティブロック外郭部１６の突出する掛止要素１６ａに接触する。結果として、鉤引フック６の垂直接合運動中に水平方向の運動が重畳され、この水平方向の運動により、接合面１３、１５の間に空間が形成されるようにパネル同士が互いに離れるように移動される。それと同時に、鉤引フック６の水平方向係止面１７が、収容フック５の水平方向係止面１８に対して押圧力を加える。収容フック５の水平方向係止面１８に作用する力は収容フック５の可撓脚部２０に伝達され、この結果、可撓脚部２０が弾性的に屈曲される。
【００３８】
図１ｃに示したようなさらなる接合運動において、鉤引段部１２の最も広い部位が収容凹部９の拡大された収容開口部１９を通過する。その後、可撓脚部２０の屈曲が減少し、収容開口部１９が再び狭くなる。間隔ｋを形成するパネル同士の接合面１３、１５は可撓脚部２０の曲げ応力によって互いに圧接される。
【００３９】
図１ｄでは、鉤引外郭部１４およびポジティブロック外郭部１６は、ポジティブロック関係で互いに嵌合する位置に達している。残留曲げ応力が可撓脚部２０で維持され、弾性力（ばね力）が収容フック５の水平方向係止面１８を介して加えられ、この力が収容フック５の接合面１５の方向において鉤引フック６の接合面１３に永続的にプレストレスを与えるように、フック形状部Ｈを設計することができる。そのようにして、閉鎖接合を永続的に達成することができる。図１ｄでは、２つのフック形状部Ｈの水平方向係止面１７、１８は互いに当接した状態にあり、それらは永続的なプレストレス作用を発揮しない。
【００４０】
図２ａ〜図２ｄの各々は、２つのパネル１および２の一部をそれぞれ示している。同様に、２つのパネル１および２は同一形状である。個々のパネルは、一対の端部の互いに対向するパネル端部に、図示した相補的外形部を有する。４辺の端部を有するパネルの場合、第２の端部対には、第１の端部対のパネル端部と同一形状の相補的外形部が設けられる。
【００４１】
同様に、一連の図は、パネル同士を接続して係止するための接合運動の原理を実施する複数のステップ２ａ〜２ｄを示している。
【００４２】
図２ａ〜図２ｄに示したようなパネル１および２の実施形態のそれぞれは、実質的に図１ａ〜図１ｄの実施形態に対応する。それに関連して、図１ａ〜図１ｄに示すように、同じ参照番号が同一の特徴部に使用される。図２ａ〜図２ｄに示したように、第２のポジティブロック動作が提供される。そのため、収容フック５のフック縁部８に根差すように弾性掛止サネ部が設けられている。鉤引凹部１１は、本体近位側に、弾性掛止サネ部２１と協働する掛止凹部２２を有する。そのようにして、第２の位置がフック接合部内に存在し、これは、当該目的のために適合されて設けられた領域、すなわち弾性掛止サネ部２１の弾性変形によって、問題なく互いに嵌合される。弾性掛止サネ部２１は鉤引凹部９と共に、垂直方向への、すなわち、係止されるパネルの平面に対して直交する方向への２つのフック形状部Ｈ同士の接合のために提供されている。
【００４３】
弾性係止サネ部２１は本体と一体である。この点において、本体の弾性特性を利用することができる。本体のプラスチック材料が比較的硬質であり、曲げ剛性を有するのであれば、弾性掛止サネ部２１の掛止効果を得るために望ましい。したがって、より硬質のプラスチック材料は、容易に降伏する軟質のプラスチック材料よりも優れた機能を果たす。
【００４４】
弾性掛止サネ部２１はフック縁部８から下方に傾斜して突出している。パネル１がその裏面１０から基板（図示せず）上に載置されているとき、弾性掛止サネ部２１の自由端は基板の方向に向く。弾性掛止サネ部２１は、本体に対して遠位側に、接合運動中に鉤引フック６と接触する摺動面２３を有し、したがって、掛止サネ部２１の内部へのばね運動を生じさせる。この運動によって、掛止サネ部２１はフック縁部８により近接するようにまたはパネル１の本体により近接するように移動される。その場合、弾性掛止サネ部２１は弾性的に応力を受け、鉤引フック６をさらに下降させることができるような垂直接合運動を可能にする。さらに、鉤引フック６は、２つのパネル１および２が同一平面内に配置されるまで収容フック５内に導入することができる。掛止サネ部２１が弾性的にバネのように反ることができる自由空間２４は、弾性掛止サネ部２１とフック縁部８との間に設けられている。掛止サネ部２１の弾性プレストレスは、掛止サネ部のための空間があれば、掛止サネ部がその中立位置の方向に跳ね返ることを可能にする。接合運動中に掛止サネ部２１が鉤引フック６の掛止凹部２２の領域内を通過するときに、空間が利用可能である。
【００４５】
掛止凹部２２は掛止接触面２５を有し、この掛止接触面２５は、弾性掛止サネ部２１と接触することによって、相互に接続されたパネル同士の垂直方向、すなわちパネル平面に対して直交する方向、の拘束をもたらす。
【００４６】
掛止接触面２５は、弾性掛止サネ部２１の自由端のための傾斜当接面を形成するような構成である。傾斜当接面２６は、応力を受けた弾性掛止サネ部２１が、その中立位置の方向に跳ね返るとき、その中立位置に達する前に当該傾斜当接面２６に当接するような構成である。したがって、残留プレストレスが常に掛止サネ部２１で維持され、これによって、確実な拘束作用が保証される。
【００４７】
四辺形パネルの好ましい実施形態は、本発明によるパネルからのフロアカバーの形成を部分的に図示している図３に示されている。使用されるパネルは、相補的なフック形状部Ｈを有する第１の端部対と、相補的なポジティブロック旋回形状部Ｓが設けられた第２の端部対とを有する実施形態を含む。旋回形状部Ｓは、互いに異なるパネル列のパネル同士を相互に接続するのに役立つ。この実施形態では、フック形状部Ｈは、同じパネル列のパネル同士を相互に接続するのに役立つ。そのようにして、第１の端部対のフック形状部Ｈを図１ａ〜図１ｄの実施形態と同様に設計することができる。あるいは、第１の端部対のフック形状部Ｈは、図２ａ〜図２ｄに示した実施形態に対応させることもできる。
【００４８】
図３は、最前のパネル列ＩＩＩにおいて、それ以前のパネル列ＩＩと同じパネル列ＩＩＩの隣接パネル２８の両方に係止される新しいパネル２７を示している。新しいパネルは、敷設されたパネルの平面に対して傾斜して嵌合され、新しいパネルの旋回形状部Ｓによってパネル列ＩＩの前方に取り付けられる。次に、新しいパネルは、敷設されたパネルの平面に対して下向きの旋回運動によって先の列ＩＩに係止される。その場合、それと同時に、新しいパネル２７のフック形状部（鉤引フック６）も、同じ列ＩＩＩのパネル２８のフック形状部（収容フック５）に係止される。新しいパネル２７が、敷設されたパネルの平面に対して下向きに旋回する間、それと同時に、鉤引フック６が、ハサミのような接合運動で収容フック５と係合する。収容フック５は可撓脚部を有し、その可撓脚部の弾性屈曲は徐々に行われ、鉤引フック６が収容フック５の方向にさらに移動されるか、または鉤引フック６の鉤引段部が収容フック５の収容凹部内にさらに挿入される。
【００４９】
新しいパネルを以前のパネル列に傾斜して嵌合させ、次に、新しいパネルを、敷設されたパネルの平面に対して下向きに旋回させることによって、ポジティブロックして接続することができる全ての公知のポジティブロック形状部の形態で相補的な旋回形状部Ｓを用いて、第２の端部対を実現することができる。このような旋回形状部Ｓの実施形態は図４に示されている。
【００５０】
図４の相補的な旋回形状部Ｓは溝形状部２９およびサネ形状部３０を含む。溝形状部２９は、下側溝壁２９ｂよりも短い上側溝壁２９ａを有する。また、下側溝壁２９ｂにはサネ形状部３０用のアンダーカット凹部２９ｃが設けられている。さらに、凹部２９ｃは水平方向係止面２９ｄを有する。サネ形状部３０には、新しいパネル２７の表面７に対してほぼ平行に配置されたサネ部上面３０ａが設けられる。サネ部下側面３０ｂは、アンダーカット形状３０ｃと、下側溝壁２９ｂの水平方向係止面２９ｄと協働する水平方向係止面３０ｄとを有する。図３に示した新しいパネル２７の傾斜位置は、サネ形状部３０’の破線で示した位置によって明確に図４に示されている。サネ部下側面３０ｂは、より長い下側溝壁２９ｂに配置される。新しいパネル２７は、溝形状部に通じるサネ形状部先端によって移動され、次に、新しいパネル２７は、敷設された１つまたは複数のパネルの平面に対して下向きに旋回される。
【符号の説明】
【００５１】
１      パネル
１’    本体
２      パネル
２’    本体
３      相補的外形部
４      相補的外形部
５      収容フック
６      鉤引フック
７      表面
８      フック縁部
９      収容凹部
１０    裏面
１１    鉤引凹部
１２    鉤引段部
１２ａ  傾斜摺動面
１３    接合面（鉤引フック）
１４    鉤引外郭部
１４ａ  掛止凹部
１５    接合面（収容フック）
１６    ポジティブロック外郭部
１６ａ  掛止要素
１７    水平方向係止面（鉤引フック）
１８    水平方向係止面（収容フック）
１９    収容開口部
２０    可撓脚部
２１    弾性掛止サネ部
２２    掛止凹部
２３    摺動面
２４    自由空間
２５    掛止接触面
２６    傾斜当接面
２７    新しいパネル
２７’  新しいパネル
２８    パネル
２９    溝形状部
２９ａ  上側溝壁
２９ｂ  下側溝壁
２９ｃ  アンダーカット凹部
２９ｄ  水平方向係止面
３０    サネ形状部
３０ａ  サネ部上面
３０ｂ  サネ部下面
３０ｃ  アンダーカット
３０ｄ  水平方向係止面
３０’  サネ形状部部
Ｈ      フック形状部
ｋ      間隔
Ｓ      旋回形状部
Ｔ      接合方向
Ｖ      相補的な係止手段
【図１ａ】
0005913360.tif 000002
【図１ｂ】
0005913360.tif 000003
【図１ｃ】
0005913360.tif 000004
【図１ｄ】
0005913360.tif 000005
【図２ａ】
0005913360.tif 000006
【図２ｂ】
0005913360.tif 000007
【図２ｃ】
0005913360.tif 000008
【図２ｄ】
0005913360.tif 000009
【図３】
0005913360.tif 000010
【図４】
0005913360.tif 000011